(57)【要約】  【課題】スライドヒンジに設けられているバネに代わる新たなバネを設け、又は、更にバネを設けることにより、又は、プレス成形がし易く、曲げ方向に対する外圧に耐える丈夫な第２リンクを用いることにより、扉を閉じる最後の狭い角度の領域において、扉を押し戻す方向に付勢力を作用させることができ、製造コストを抑えたスライドヒンジを提供する。  【解決手段】スライドヒンジを、カップと取付アームとが第１リンクと第２リンクで連結され、第１リンクの一端部と取付アームの先端近傍部とを連結させているピンに、側面視において略Ｖ字形状を有するバネの基部が支持されて、該バネの一端部が取付アームに当接し、該バネの他端部が第１リンクに当接して、取付アームと第１リンクに、扉を閉じる最後の狭い角度の領域において、扉を押し戻す方向の付勢力が加わるように構成した。  【選択図】図５
2007308914.tif 000002
【特許請求の範囲】
【請求項１】
家具，収納庫，建築物等の扉端に取り付けられるカップと取付アームとが第１リンクと第２リンクで連結され、該取付アームを扉口の壁面に装着される取付座にワンタッチで着脱できるスライドヒンジであって、
第１リンクの一端部と取付アームの先端近傍部とを連結させているピンに、側面視において略Ｖ字形状を有するバネの基部が支持されて、該バネの一端部が取付アームに当接し、該バネの他端部が第１リンクに当接して、取付アームと第１リンクに、扉を閉じる最後の狭い角度の領域において、扉を押し戻す方向の付勢力が加わるように構成されてなることを特徴とするスライドヒンジ。
【請求項２】
第１リンクと取付アームの先端近傍部とを連結させているピンには、側面視において略Ｖ字形状を有する第２のバネの基部が更に支持されて、該バネの一端部が取付アームに当接し、該バネの他端部が第１リンク又は第２リンクの背板面に当接してなる請求項１に記載のスライドヒンジ。
【請求項３】
家具及び建築物等の扉端に取り付けられるカップの内側と取付アームの先端近傍部とがピン支持された第１リンクと第２リンクを介して連結され、該取付アームが扉口の壁面に装着される取付座に着脱自在に取り付けられる構造を備えるスライドヒンジであって、
第１リンクの一端部と取付アームの先端近傍部とを連結させているピンに、側面視において略Ｖ字形状を有するバネの基部が支持されて、該バネの一端部が取付アームに当接し、該バネの他端部が第２リンクにおける背板面の取付アーム方向に向けられた先端面に当接して、取付アームと第２リンクに、扉を閉じる最後の狭い角度の領域において、扉を押し戻す方向に付勢力が加わるように構成されてなることを特徴とすることを特徴とするスライドヒンジ。
【発明の詳細な説明】
【技術分野】
【０００１】
本発明は、家具，収納庫，建築物等の扉を開閉自在に支持させるスライドヒンジであり、とくに、扉を閉じる最後の狭い角度の領域において、扉を押し戻す方向に付勢力が作用するスライドヒンジに関する。
【背景技術】
【０００２】
スライドヒンジは、扉の裏側の一端近傍面に埋め込まれた状態で取り付けられるカップと、略鞍形を有する取付アームとが第１リンクと第２リンクで連結されて、取付アームの内側に装着した取付ユニットを介して、取付アームを扉口の内側壁面に取り付けられる取付座にワンタッチで着脱できるように構成されている。
従来のスライドヒンジの多くは、第１リンクと取付アームとをピン支持させているピンに、側面視において略Ｖ字形状を有するバネの基部が嵌入支持されて、該バネの一端部を取付アームの背板面に当接させ、該バネの他端部を第２リンクの背板面の取付アーム側先端近傍面に当接させて、スライドヒンジの開閉動作にガタ付きが生じないようにしてあり、これにより扉の円滑な開閉が行なわれる。
スライドヒンジを利用して扉を扉口に取り付ける場合、扉の閉止姿勢を維持させるため、係止部材と係部材に係止される受部材が併用されて、扉を閉じた状態で、係止部材と受部材による係号が行われて、扉の閉じた状態を維持させる。扉の開閉は、扉に取り付けられた把手を手で操作して行なわれる。
【０００３】
最近の多くの台所の収納庫の扉、洗面化粧台の下部にある収納庫の扉は、スライドヒンジで開閉自在に取り付けられている。
ところが、これらの収納庫は腰を曲げて操作しなければならない低い位置に設けられていたり、背伸びして手を高く上げなければに把手に手が届かない位置にあることが多く、背の低い女性では把手に手が届かないこともある。
このため、腰を屈めたり背伸びして手を上げるのが面倒で、指先で扉の縁の縁を引っ掛けるようにして扉を開ける人が少なくないが、背伸びして扉を引く操作するためには、ある程度の力が必要であり、背の低い女性、指先の力が弱い女性にとっては、この操作が容易でなく、若い女性では、この操作で爪を傷めることがある。
【０００４】
このような不具合を解消するスライドヒンジが既に開示されている（下記特許文献１特開２００４−３３９９２７号公報参照）。
このスライドヒンジは、カップ（特許文献１にはボックスエレメントと記載されている。）と、取付アーム（特許文献１にはアームと記載されている。）とを連結させている２個のリンク（特許文献１にはロッカーと記載されている。）の外側に位置するリンクの先端部にカム形状の突起を設けて、この突起にＶ字形状を有するバネの一端部を当接させ、このバネの他端部を取付アーム（アーム）の内側面に当接させて、扉を閉じる最後の狭い角度の領域において、扉を押し戻す方向に付勢力が作用するように構成されている。
この特許文献１によれば、突起は、リンク（ロッカー）の先端部にインサートされるプラスチック製のもの（特許文献１の図１、図１１参照）と、リンク（ロッカー）の先端中央部を舌片状に突出させたもの（特許文献１の図１５、図１６、図１７参照）とが提案されている。
【特許文献１】特開２００４−３３９９２７号公報（図１、図１１、図１５、図１６、図１７）
【発明の開示】
【発明が解決しようとする課題】
【０００５】
しかしながら、上記特許文献１に記載のスライドヒンジのように、リンク（ロッカー）の先端部にプラスチック製の突起を取り付けると、突起にバネによる強い力が加わって、突起の破損や割れが生じたり、長期間の使用による突起の磨耗、突起の劣化による破損などの不具合が生じるおそれがある。
また、上記特許文献１の図１５及び図１６に示すように、リンク（ロッカー）の先端部に、カム形状の突起とその両側にピンを挿入させる筒部を形成する加工は、リンク（ロッカー）が曲げに対する外圧に耐える金属板で形成されているため、容易ではない。
【０００６】
本発明は、従来のスライドヒンジに設けられているバネに代わる新たなバネを設け、或いは、更にバネを設けることにより、或いは、プレス成形がし易く、曲げ方向に対する外圧に耐える丈夫な第２リンクを用いることにより、扉を閉じる最後の狭い角度の領域において、扉を押し戻す方向に付勢力を作用させることができ、製造コストを抑えたスライドヒンジを提供することを目的とする。
【課題を解決するための手段】
【０００７】
請求項１によるスライドヒンジは、家具，収納庫，建築物等の扉端に取り付けられるカップと取付アームとが第１リンクと第２リンクで連結され、該取付アームを扉口の壁面に装着される取付座にワンタッチで着脱できるスライドヒンジであって、
第１リンクの一端部と取付アームの先端近傍部とを連結させているピンに、側面視において略Ｖ字形状を有するバネの基部が支持されて、該バネの一端部が取付アームに当接し、該バネの他端部が第１リンクに当接して、取付アームと第１リンクに、扉を閉じる最後の狭い角度の領域において、扉を押し戻す方向の付勢力が加わるように構成されてなるところに特徴がある。
【０００８】
このスライドヒンジに内装されているバネの付勢力は、バネの両端部が近接する方向に外力が加わったときに、バネの両端部が離れる方向に作用する。この付勢力が作用する角度が、扉を閉じる最後の狭い角度の領域であり、例えば、扉が２０°〜３５°の角度で少し開いた状態から扉が閉じ終えるまで、扉を押し戻す方向に付勢力が作用する。このため、扉が閉じ終えてもこの付勢力が作用しており、扉の閉じた状態を維持させるためには、ラッチ，係止とその解除が交互に作用するフック，マグネットキャッチなどの他の係止部材で扉を係止させる必要がある。このように、本発明のスライドヒンジと他の係止部材と併用すれば、閉じた扉を軽く押すだけで、扉が少し開き、その後の扉を手で大きく開ける操作が楽になる。
また、このバネは、取付アームに対する第１アームの角度を一定の角度に安定させる方向に作用するという第２の作用も有し、この第２の作用は、スライドヒンジの開閉時におけるガタ付きを防ぎ、扉を円滑に開閉させる。
【０００９】
請求項２によるスライドヒンジは、更に、第１リンクと取付アームの先端近傍部とを連結させているピンには、側面視において略Ｖ字形状を有する第２のバネの基部が更に支持されて、該バネの一端部が取付アームに当接し、該バネの他端部が第１リンク又は第２リンクの背板面に当接してなる。
【００１０】
このスライドヒンジでは、前述した２つの作用が２個のバネで個別に行なわれる。請求項１に記載のバネは、扉を閉じる最後の狭い角度の領域において、扉を押し戻す方向に作用するが、扉がそれ以上開いた状態になった場合には、バネの付勢力が作用しないため、前述した第２の作用は一定の範囲に限られる。請求項２では、扉の開閉角の全領域において第２の作用を及ぼすため、更に別のバネを設けた。
【００１１】
請求項３によるスライドヒンジは、家具及び建築物等の扉端に取り付けられるカップの内側と取付アームの先端近傍部とがピン支持された第１リンクと第２リンクを介して連結され、該取付アームが扉口の壁面に装着される取付座に着脱自在に取り付けられる構造を備えるスライドヒンジであって、
第１リンクの一端部と取付アームの先端近傍部とを連結させているピンに、側面視において略Ｖ字形状を有するバネの基部が支持されて、該バネの一端部が取付アームに当接し、該バネの他端部が第２リンクにおける背板面の取付アーム方向に向けられた先端面に当接して、取付アームと第２リンクに、扉を閉じる最後の狭い角度の領域において、扉を押し戻す方向に付勢力が加わるように構成されてなることを特徴とする。
【００１２】
このスライドヒンジでは、バネの一端部を取付アームに当接させ、バネの他端部を第２アームの背板面に当接させることにより、前述した２つの作用を発揮する。
この考え方は、前述した特許文献１に記載のスライドヒンジに見られるが、この特許文献１に記載のスライドヒンジでは、第２アーム（ロッカー）の先端部にプラスチック製の突起を設け、或いは、第２アーム（ロッカー）の先端部に舌片形状の突起とピンを保持する筒部とを成形加工することで課題を解決している。
このスライドヒンジでは、プラスチック製の突起を設けることによる不具合、カム状を有する舌片状の突起と筒部を並べて成形加工する難しさを無くすため、第２アームの背板部の先端部にバネの一端部を当接させるようにした。具体的には、第２アームの先端部の側面断面形状をコ字形状にして、その対抗面にピン孔を設け、背板面にバネの一端部を当接させるようにした。第２アームの先端部をこのような形状にすると、バネによる強い付勢力が加わっても曲らない丈夫な形状になり、プレス加工で容易に成形できる。
【発明の効果】
【００１３】
請求項１のスライドヒンジによれば、扉を閉じる最後の狭い角度の領域において、扉を押し戻す方向に付勢力が加わるため、前述した受部材を併用すれば、手で扉を軽く押すだけで扉は少し開き、その後の扉を大きく開ける操作が楽に行なえる。
特に、請求項１のスライドヒンジは、２個のリンクを備える従来のスライドヒンジに内装されているバネに代わる新しいバネを取り付けるだけで製作できるため、従来のスライドヒンジの部品がそのまま利用出来、スライドヒンジの製造コストが抑えられる。
【００１４】
また、請求項２のスライドヒンジのように、スライドヒンジの取付アームと第１リンクとをピン支持させているピンに、スライドヒンジの開閉を円滑に行なうバネと、扉を閉じる最後の狭い角度の領域において、扉を押し戻す方向に付勢力が働くバネとを支持させても、請求項１に記載の効果と同様の効果を奏する。
【００１５】
また、請求項３のスライドヒンジのように、取付アームと第１アームとをピン支持させて連結させているピンに側面視において略Ｖ形状を有するバネの基部を支持させて、このバネの一端部を第１アームの背板面の内側面に当接させ、このバネの他端部を第２アームの背板面に当接させても、前述した各効果を奏する。特に、第２アームの背板面の先端部で、バネの一端部を当接させるようにした結果、第２アームの成形加工が容易になり、丈夫な第２アームにすることが出来るようになった。
【発明を実施するための最良の形態】
【００１６】
本発明のスライドヒンジは、家具及び建築物等の扉端に取り付けられるカップの内側と取付アームの先端近傍部とがピン支持された第１リンクと第２リンクを介して連結され、第１リンクの一端部と取付アームの先端近傍部とを連結させているピンに、側面視において略Ｖ字形状を有するバネの基部が支持されて、第１リンクと取付アームには、扉を閉じる最後の狭い角度の領域において、取付アームに当接するバネの一端部と、第２リンクに当接するバネの他端部により、扉を押し戻す方向に付勢力が働くように構成されたスライドヒンジであり、請求項１及び実施例１のスライドヒンジがこれに該当する。
【実施例１】
【００１７】
図１は本発明の実施例１によるスライドヒンジを斜視図で示し、図２は平面図で示し、図３はスライドヒンジの主用部を分解斜視図で示し、図４は扉が完全に開放した状態でのスライドヒンジを扉及び扉口とともに断面図で示している。
図１及び図２に示すように、この実施例１のスライドヒンジ１は、家具及び建築物等の扉端に取り付けられるカップ２の内側と取付アーム３の先端近傍部とがピン支持された第１リンク４と第２リンク５を介して連結され、取付アーム３が取付ユニット６を介して、家具の扉口の内側壁面に装着される取付座７に着脱自在に取り付けられた組付品である。
【００１８】
詳述すると、図３に示すように、カップ２の上縁部の後部には幅広い鍔部２ａが形成され、鍔部２ａには扉にビス止めするためのビス孔２ｂ，２ｂが形成されている。カップ２の取付アーム３方向に位置する前部は、側壁面２ｃ，２ｃを平行に対向させた形状に形成されている。
【００１９】
図３に示すように、取付アーム３は、対向する側壁面３ａ，３ａに沿った各一端縁部と背板面３ｂとが一体形成された１方向に長い鞍形を有し、カップ２の方向に向けられた各側壁面３ａ，３ａの一端部には、第１リンク４の一端部をピン支持させるピン孔３ｃ、３ｃが形成された舌片部３ｄ，３ｄが前方に向けて突出形成され、各側壁面３ａ，３ａの一端部から（図１及び図３から見て）下方に向けて、第２リンク５の一端部をピン支持させるピン孔３ｅ，３ｅが形成された舌片部３ｆ，３ｆが形成され、背板面３ｂに、埋込ネジ８を螺入させるネジ孔３ｇと、矩形の開口部３ｈと、ネジ９の軸部が挿入可能な長孔３ｊが形成された、金属板成形品で構成されている。
【００２０】
第１リンク４は、平行に対向する幅の細い側壁面４ａ，４ａに沿った各一端縁部と背板面４ｂとが一体形成された鞍形を有し、各側壁面４ａ，４ａの各一端部に、ピン孔４ｃ，４ｃが形成された半円弧状の舌片部４ｄ，４ｄが形成され、各側壁面４ａ，４ａの各他端部に、ピン孔４ｅ，４ｅが形成された半円弧状の舌片部４ｆ，４ｆが形成された、金属板成形品で構成されている。
【００２１】
第２リンク５は、円弧形状又は若干折曲されて形成された背板面５ａの前端部と後端部が筒状に丸められて筒部５ｂ，５ｃが形成された金属板成形品で構成されている。
【００２２】
取付アーム３とカップ２とを連結させている第１リンク４は、その背板面４ｂが取付アーム３の背板面３ｂ、及びカップ２の平行に対向する両側壁面２ｃ，２ｃの間隔よりも若干細幅に形成されており、図１〜図４に示すように、これらの連結は、第１リンク４の一端部が、取り付けアーム３先端に位置する舌片部３ｄ，３ｄの内側位置に、ピン１０を介して回動可能にピン支持され、第１リンク４の他端部が、カップ２の平行に対向する両側壁面２ｃ，２ｃの内側位置に、Ｕ形ピン１２の一方の軸部を介して回動可能にピン支持されることにより行なわれている。
【００２３】
取付アーム３とカップ２とを連結させている第２リンク４も、その背板面５ａが取付アーム３の背板面３ｂ、及びカップ２の平行に対向する両側壁面２ｃ，２ｃの間隔よりも若干細幅に形成されており、その連結は、第２リンク４の一端部が、取り付けアーム３先端近傍に位置する舌片部３ｆ，３ｆの内側位置に、ピン１１を介して回動可能にピン支持され、第２リンク４の他端部が、カップ２の平行に対向する両側壁面２ｃ，２ｃの内側位置に、Ｕ形ピン１２の他方の軸部を介して回動可能にピン支持されることにより行なわれている。
【００２４】
取付ユニット６は、取付アーム３を取付座７にワンタッチで取り付け、また取外すためにあり、取付アーム３の内側に着脱可能に装着されており、鞍形を有する取付ユニット本体６ａには、埋込ネジ８は突入する切欠き部６ａと、ビス９が螺入するネジ孔６ｃが形成され、前端下部には取付座７に係合させる爪部６ｆ，６ｆが形成され、後部には、外方向にバネ６ｅで付勢された押部材６ｄが保持され、押部材６ｄは取付ユニット６内に位置するフック６ｇと連動するように構成されている。
取付ユニット６は、このフック６ｇと爪部６ｆ，６ｆによって取付座７のマウント７ａに係合して、取付アーム３を取付座７にワンタッチで着脱させるために、取付アーム３に装着されている。
【００２５】
図５は扉を押し戻す方に付勢力が作用し始める直前のスライドヒンジを扉及び扉口とともに断面図で示し、図６は扉を閉じ終えた姿勢のスライドヒンジを扉及び扉口とともに断面図で示している。
図４及び図５に示すように、取付アーム６と第１リンク４及び第２リンク５とを工場で組み付ける際に、第１リンク４と取付アーム３とをピン支持させているピン１０に、側面視において略Ｖ字形状を有するバネ１４の基部１４ａが嵌入されて、バネ１４の一端部１４ｃを取付アーム３の背板面３ｂの内側面に当接させ、バネ１４の他端部１４ｂを第１リンク４の背板面４ｂの内側面に当接させるように組み付けられている。
このようにすると、第１リンク４と取付アーム３には、扉を閉じる最後の狭い角度の領域において、取付アーム３の背板面３ａに当接するバネ１４の一端部１４ｃと、第１リンク４の背板面４ａに当接するバネ１４の他端部１４ｂによる、扉Ｄを押し戻す方向に付勢力が加わる。
扉Ｄを閉じる最後の狭い角度とは、例えば、図５に示すように、カップ２の底面と第１リンク４の背板面４ｇとが２０°〜３５°の範囲内の角度Ｒであり、この角度Ｒから第１リンク４全体がカップ２内に納まって扉Ｄが閉じた状態になるまでバネ１４による付勢力が第１リンク４に加わる。即ち、図５に示す扉Ｄが少し開いた姿勢から図６に示す扉Ｄが閉じた姿勢に至る角度において、バネ１４による付勢力が扉Ｄに加わる。
【００２６】
このため、図６に示すように、例えば、扉口近傍にバネで突出する方向に爪部１８ａが付勢されたラッチ型係止部材１８を取り付け、扉Ｄの先端部内側面にこの爪部１８ａに係合する受部材１７を取り付けると、扉Ｄを閉じる位置まで回動させると、爪部１８ａと受部材１７とが係合して、扉Ｄの閉じた姿勢を維持させることができるようになる。このように、本発明実施例のスライドヒンジ１は、上述したラッチ型係止部材１８及び受部材１７と併用される。
このようにすると、手で扉を閉じる位置まで操作すると、上記係合により扉Ｄの閉じた状態が維持され、扉Ｄを手で押すと、上記係合が解除されて、スライドヒンジ１内に設けられているバネ１４に付勢力で、図５に示す角度Ｒまで扉Ｄが開き、この角度Ｒまで扉Ｄが開くと、指先で扉Ｄを更に大きく開ける操作が楽に行なえるようになる。
【実施例２】
【００２７】
図７は実施例２のスライドヒンジの主要部を分解斜視図で示し、図８は実施例２のスライドヒンジを扉及び扉口とともに断面図で示している。
図７及び図８に示すように、実施例２のスライドヒンジ１Ａは、第１リンク４と取付アーム３の先端近傍部とを連結させているピン１０に、側面視において略Ｖ字形状を有する２つのバネ１４，２０の基部１４ａ，２０ａが支持されている。一方のバネ１４の一端部１４ｂは、第１リンク４の背板面４ｂに当接し、このバネ１４の他端部１４ｃは取付アーム３の背板面３ａに当接しており、他方のバネ２０の一端部２０ｂは、第１リンク４の背板面４ａに当接し、このバネ２０の他端部２０ｃは扉Ｄを閉じる最後の狭い角度の領域において取付アーム３の背板面３ａに当接して、一方のバネ１４ｇで、扉Ｄが全開した状態から閉じ終える位置まで第１アーム４に付勢力を加えて、扉Ｄが円滑に開閉できるようにし、他方のバネ２０で、扉Ｄを閉じる最後の狭い角度の領域において、扉Ｄを押し戻す方向に付勢力を作用させることができるように構成されている。
【実施例３】
【００２８】
図９は実施例３のスライドヒンジの要部を断面図で示し、図１０は実施例３のスライドヒンジに用いられている第２アームを斜視図で示している。
図９に示すように、実施例３のスライドヒンジ１Ｂは、取付アーム３と第１リンク４とをピン支持させて連結させているピン１０に、側面視において略Ｖ形状を有するバネ２１の基部２１ａを支持させて、このバネ２１の一端部２１ｃを取付アーム４の背板面３ａの内側面に当接させ、このバネ２１の他端部２１ｂを，第２リンク５の背板面５ａの先端部５ａ１に当接させた構造になっている。
図９及び図１０に示すように、実施例３のスライドヒンジ１Ｂに用いられている第２リンク５は、緩やかな曲面をもって形成された背板面５ａの一端部の両側に、ピン孔５ｄ，５ｄが形成された円弧状の舌片部５ｅ，５ｅが対向して形成され、背板面５ａの他端部は、ピン１１を挿通させる筒部５ｃが形成されている。
この第２リンク５では、背板面５ａの先端部５ａ１は，ピン孔５ｄ，５ｄよりも前方に位置しており、第２リンク５をピン１０を中心に回動させたときに、この先端部５ａ１が起き上げる方向に移動して、バネ２１の他端部２１ｂを押し上げる。
このため、第２リンク５と取付アーム３とには、扉を閉じる最後の狭い領域において、扉を押し戻す方向の付勢力が加わる。
また、バネ２１の他端部２１ｂを第２リンク５の背板面５ａに当接させるようにすると、スライドヒンジ１Ｂの回動時にガタ付きがなく、扉を円滑に開閉させる。
【図面の簡単な説明】
【００２９】
【図１】本発明の実施例１によるスライドヒンジを示した斜視図である。
【図２】同じく平面図である。
【図３】同じくその主要部を示した分解斜視図である。
【図４】扉を完全に開放した状態でのスライドヒンジを扉及び扉口とともに示した断面図である。
【図５】扉を押し戻す方に付勢力が作用し始める直前のスライヒンジを扉及び扉口とともに示した断面図である。
【図６】扉を閉じ終えた姿勢のスライドヒンジを扉及び扉口とともに示した断面図である。
【図７】実施例２のスライドヒンジの主要部を示した分解斜視図である。
【図８】実施例２のスライドヒンジを扉及び扉口とともに示した断面図である。
【図９】実施例３のスライドヒンジの要部を示した断面図である。
【図１０】実施例３のスライドヒンジに用いられている第２アームを示した斜視図である。
【符号の説明】
【００３０】
１    実施例１のスライドヒンジ
２    カップ
３    取付アーム
３ａ  側壁面
３ｂ  背板面
４    第１リンク
４ａ  背板面
５    第２リンク
６    取付ユニット
７    取付座
１０    ピン
１１    ピン
１４    バネ
１４ａ  基部
１４ｂ  一端部
１４ｃ  他端部
Ｄ    扉
【図１】
2007308914.tif 000003
【図２】
2007308914.tif 000004
【図３】
2007308914.tif 000005
【図４】
2007308914.tif 000006
【図５】
2007308914.tif 000007
【図６】
2007308914.tif 000008
【図７】
2007308914.tif 000009
【図８】
2007308914.tif 000010
【図９】
2007308914.tif 000011
【図１０】
2007308914.tif 000012